(57)【要約】【課題】送風ファンから送風される空気を気液接触部材に略均一に吹き付けることにより、この気液接触部材の除菌能力を十分に発揮できる空気除菌装置を提供すること。【解決手段】筐体１１内に立設された気液接触部材５３と、この気液接触部材５３に供給される電解水を生成する電解水生成ユニットと、気液接触部材５３の下方に配置され、当該気液接触部材５３に空気を送風する送風ファンとを備え、筐体１１内に送風ファンから上方に向けて吹き出された空気を気液接触部材５３に導く風路としての空間１Ａを形成し、この空間１Ａには、気液接触部材５３の上部における通風量を抑制する分流部材８２を配置した。【選択図】図７
2008109983.tif 000002
【特許請求の範囲】
【請求項１】
筐体内に立設された気液接触部材と、この気液接触部材に供給される電解水を生成する電解水生成ユニットと、前記気液接触部材に空気を送風する送風ファンとを備える空気除菌装置において、
前記筐体内に前記送風ファンから吹き出された空気を前記気液接触部材に導く風路を形成し、この風路には、前記気液接触部材の前記送風ファンから遠い側における通風量を抑制する抑制部材を配置したことを特徴とする空気除菌装置。
【請求項２】
筐体内に立設された気液接触部材と、この気液接触部材に供給される電解水を生成する電解水生成ユニットと、前記気液接触部材の下方に配置され、当該気液接触部材に空気を送風する送風ファンとを備える空気除菌装置において、
前記筐体内に前記送風ファンから上方に向けて吹き出された空気を前記気液接触部材に導く風路を形成し、この風路には、前記気液接触部材の上部における通風量を抑制する抑制部材を配置したことを特徴とする空気除菌装置。
【請求項３】
前記抑制部材は、前記風路の前記気液接触部材の上部に対向する位置に配置されていることを特徴とする請求項２に記載の空気除菌装置。
【請求項４】
前記抑制部材は、前記気液接触部材の上端部に対向する位置に配置された第１分流板と、この第１分流板よりも下方に配置された第２分流板とを備え、これら第１及び第２の分流板は、それぞれ前記気液接触部材に向けて下方に傾斜して配置されていることを特徴とする請求項２または３に記載の空気除菌装置。
【発明の詳細な説明】
【技術分野】
【０００１】
本発明は、細菌、ウィルス、真菌等の空中浮遊微生物（以下、単に「ウィルス等」という）の除去が可能な空気除菌装置に関する。
【背景技術】
【０００２】
従来、電極に電圧を印加することにより水を電気分解して電解水を生成し、この電解水を用いて空気中に浮遊するウィルス等の除去を図った除菌装置が提案されている（例えば、特許文献１参照）。この除菌装置は、不織布等からなる加湿エレメントに電解水を供給して、加湿エレメント（気液接触部材）上で空気中のウィルス等を電解水に接触させることにより、ウィルス等を不活化することにより、空気を除菌しようとするものである。
【特許文献１】特開２００２−１８１３５８号公報
【発明の開示】
【発明が解決しようとする課題】
【０００３】
ところで、この種の除菌装置では、空気の除菌効率の向上を図るべく、送風ファンから吹き出された空気を気液接触部材に略均一に当てることが望ましい。
しかしながら、従来の構成では、気液接触部材の送風ファンから遠い側の方が近い側に比べて通風量が大きくなる傾向があるため、この気液接触部材における通風量の分布にむらが生じ、当該気液接触部材の除菌能力を十分に発揮できないおそれがあった。
そこで、本発明の目的は、送風ファンから送風される空気を気液接触部材に略均一に吹き付けることにより、この気液接触部材の除菌能力を十分に発揮できる空気除菌装置を提供することを目的とする。
【課題を解決するための手段】
【０００４】
上記課題を解決するため、本発明は、筐体内に立設された気液接触部材と、この気液接触部材に供給される電解水を生成する電解水生成ユニットと、前記気液接触部材に空気を送風する送風ファンとを備える空気除菌装置において、前記筐体内に前記送風ファンから吹き出された空気を前記気液接触部材に導く風路を形成し、この風路には、前記気液接触部材の前記送風ファンから遠い側における通風量を抑制する抑制部材を配置したことを特徴とする。
この構成によれば、風路に配置された抑制部材によって、気液接触部材の送風ファンから遠い側における通風量を抑制することにより、この気液接触部材の送風ファンから近い側の通風量が相対的に増加するため、結果として気液接触部材における通風量のむらを抑えることができる。従って、気液接触部材に略均一に空気を吹き付けることができるため、この気液接触部材の除菌の能力を十分に発揮することができる。
【０００５】
また、本発明は、筐体内に立設された気液接触部材と、この気液接触部材に供給される電解水を生成する電解水生成ユニットと、前記気液接触部材の下方に配置され、当該気液接触部材に空気を送風する送風ファンとを備える空気除菌装置において、前記筐体内に前記送風ファンから上方に向けて吹き出された空気を前記気液接触部材に導く風路を形成し、この風路には、前記気液接触部材の上部における通風量を抑制する抑制部材を配置したことを特徴とする。
この構成によれば、風路に配置された抑制部材によって、気液接触部材の上部における通風量を抑制することにより、この気液接触部材の下部の通風量が相対的に増加するため、結果として気液接触部材における通風量のむらを抑えることができる。従って、気液接触部材に略均一に空気を吹き付けることができるため、この気液接触部材の除菌の能力を十分に発揮することができる。
【０００６】
この場合において、前記抑制部材は、前記風路の前記気液接触部材の上部に対向する位置に配置されている構成としても良い。また、前記抑制部材は、前記気液接触部材の上端部に対向する位置に配置された第１分流板と、この第１分流板よりも下方に配置された第２分流板とを備え、これら第１及び第２の分流板は、それぞれ前記気液接触部材に向けて下方に傾斜して配置されている構成としても良い。
【発明の効果】
【０００７】
本発明によれば、風路に配置された抑制部材によって、気液接触部材の送風ファンから遠い側における通風量を抑制することにより、この気液接触部材の送風ファンから近い側の通風量が相対的に増加するため、結果として気液接触部材における通風量のむらを抑えることができる。従って、気液接触部材に略均一に空気を吹き付けることができるため、この気液接触部材の除菌の能力を十分に発揮することができる。
【発明を実施するための最良の形態】
【０００８】
以下、図面を参照して本発明の実施の形態について説明する。
図１は、本発明を適用した実施の形態に係る空気除菌装置１の外観斜視図である。
図１に示すように、空気除菌装置１は縦長に形成された箱形の筐体１１を有し、例えば床置き設置される。筐体１１には、この筐体１１の両側面の下部に吸込グリル１２が形成されるとともに、この筐体１１の前面の下端部に吸込口１５が形成されている。
また、筐体１１の上面には吹出口１３が形成され、この吹出口１３には空気を吹き出す方向を変化させるためのルーバー２０が設けられている。このルーバー２０は、運転停止時には上記吹出口１３を閉塞するように構成されている。
空気除菌装置１は、吸込グリル１２及び吸込口１５を介して設置室内の空気を吸い込んで除菌し、この除菌された空気を吹出口１３から排出することで、室内空気を清浄化させる装置である。
【０００９】
筐体１１の上面には、吹出口１３の前面側に配置された操作蓋１６Ａと、この操作蓋１６Ａに横並びに配置されたタンク用開閉蓋１４Ａとが形成されている。操作蓋１６Ａを開くと、空気除菌装置１の各種操作を行う操作パネル１６（図２）が露出し、タンク用開閉蓋１４Ａを開くと、タンク取出口１４を介して後述する給水タンク４１（図２）を出し入れ可能となっている。
また、筐体１１の両側面の上部にはそれぞれ把持部１７が形成されている。これら把持部１７は筐体１１を手持ちする際に手を掛けるための凹部であり、運搬時に空気除菌装置１を一人で持ち上げて移動できるようになっている。
また、筐体１１の前面（一側面）には、上下方向に並べられた上側カバー部材１８及び下側カバー部材１９がそれぞれ着脱自在に配置されており、これら上側カバー部材１８及び下側カバー部材１９を取り外すと筐体１１の内部構成が露出するようになっている。また、下側カバー部材１９は、この下側カバー部材１９の下端部に、筐体１１の背面側に向けて湾曲した円弧部１９Ａを備え、この円弧部１９Ａに上記吸込口１５が形成されている。
【００１０】
次に、空気除菌装置１の内部構成を説明する。
筐体１１には、図２に示すように、この筐体１１の内部を上下に仕切る支持板２１が設けられ、上側の室２２と下側の室２３とに区分けされている。この下側の室２３には、送風ファン３１及びファンモータ３２が配置されるとともに、仕切板２４を介して、把手部５７Ａを有する排水タンク５７が筐体１１の前面側に引き出し可能に収容されている。これら送風ファン３１及びファンモータ３２と排水タンク５７とは横並びに配置されている。
また、送風ファン３１と吸込口１５との間、すなわち、下側の室２３における下側カバー部材１９（図１）と対向する位置にプレフィルタ３４が着脱自在に配置されている。このプレフィルタ３４は、吸込グリル１２及び吸込口１５を通じて吸い込まれた空気中の塵埃など粒径の大きなものを捕集する第１フィルタ２５と、この第１フィルタ２５を通過する、例えば粒径１０（μｍ）以上の物を捕集する第２フィルタ２６とを備えて構成される。このプレフィルタ３４によって空気中に浮遊する花粉や塵埃等が除去され、この除去された空気が送風ファン３１を介して上側の室２２に供給される。
【００１１】
一方、上側の室２２には、送風ファン３１及びファンモータ３２の上方に電装ボックス３９が配置され、この電装ボックス３９の上方に気液接触部材５３が立設して配置されている。この気液接触部材５３と電装ボックス３９との間には、気液接触部材５３から滴下した水を受ける水受皿４２が配置されている。この水受皿４２は、深底に形成された貯留部４２Ａを備え、この貯留部４２Ａは上記排水タンク５７の上方に延在している。電装ボックス３９には、空気除菌装置１を制御する制御部（図示略）を構成する各種デバイスが実装された制御基板や、ファンモータ３２に電源電圧を供給する電源回路等の各種電装部品が収容されている。
【００１２】
貯留部４２Ａの上には給水タンク４１が配設され、給水タンク４１から貯留部４２Ａに水を供給可能な構成となっている。詳細には、給水タンク４１の下端に形成された給水口にはフロートバルブが設けられ、貯留部４２Ａの水面が給水口よりも下になると、このフロートバルブが開放されることにより、給水タンク４１から必要量の水が供給され、貯留部４２Ａの水位が一定に保たれる仕組みとなっている。
また、貯留部４２Ａの上には、図３に示すように、気液接触部材５３に供給する電解水を生成する電解水生成ユニット４５が配置されている。この電解水生成ユニット４５は、循環ポンプ４４と電解槽４６とを備えて構成され、循環ポンプ４４は、制御部の制御に従って回転数を変更することにより、循環量を変更可能に動作する。循環ポンプ４４の吐出口には、貯留部４２Ａに貯留された水を汲み上げて気液接触部材５３に供給する供給管７１が接続され、この供給管７１には循環ポンプ４４と気液接触部材５３との間で分岐する分岐管７２を介して電解槽４６が接続されている。この電解槽４６は、後述するように複数の電極を内蔵し、これら電極間に、制御部から供給される電圧を印加することにより、水を電解して電解水を生成する。電解槽４６の上面には、この電解槽４６で生成した電解水を排出する排出口４６Ａが形成され、この排出口４６Ａには電解水を貯留部４２Ａに返送する返送管７３が接続されている。
【００１３】
また、貯留部４２Ａの上には、この貯留部４２Ａの入口部分に当該貯留部４２Ａに流れ込む水に混入する固形物を捕集するフィルタ部材７４が配置されている。このフィルタ部材７４は、気液接触部材５３から流れ落ちた水に含まれる固形物（不溶物）を除去するものである。また、本構成では、上記返送管７３はこのフィルタ部材７４の上方に配置され、この返送管７３から排出された水はフィルタ部材７４を介して水受皿４２の貯留部４２Ａに流入する。このフィルタ部材７４によって、水受皿４２を介して気液接触部材５３と電解水生成ユニット４５とを循環される水に含まれる固形物（例えば、電解槽４６から排出されたスケール等）が捕集されるため、この固形物が気液接触部材５３に流入し、この気液接触部材５３の目詰まりの発生が防止される。
また、フィルタ部材７４は、上部が開放した状態で水受皿４２の貯留部４２Ａに配置されているため、フィルタ部材７４の交換時期を目視で簡単に判断することができる。さらに、このフィルタ部材７４を交換する場合、貯留部４２Ａの入口部分に配置されたフィルタ部材７４を手指で取り外して交換すればよいため、工具等を使用することなく、メンテナンスを簡単に行うことができる。
【００１４】
また、本実施形態では水受皿４２に貯留された水を適宜排出可能に構成されている。具体的には、貯留部４２Ａの下部には排水管５５（図５（Ａ））が連結されるとともに、この排水管５５を開閉させる排水バルブ５６（図５（Ａ））が設けられている。そして、排水管５５の先端は、上記排水タンク５７の上方に延びており、排水バルブ５６を開放することにより、水受皿４２上の水が排水タンク５７に排出される。
【００１５】
気液接触部材５３の上部には、この気液接触部材５３上に均一に電解水を分散させるための散水ボックス５１が組み付けられている。この散水ボックス５１は、電解水を一時的に貯留するトレー部材を備え、このトレー部材の側面に複数の散水孔（図示略）が開口し、この散水孔から気液接触部材５３に対して電解水を滴下するようになっている。
また、気液接触部材５３は、ハニカム構造を持ったフィルタ部材である。詳細には、気液接触部材５３は、気体に接触するエレメント部をフレームにより支持する構造を有する。エレメント部は、波板状の波板部材と平板状の平板部材とが積層されて構成され、これら波板部材と平板部材との間に略三角状の多数の開口が形成されている。従って、エレメント部に空気を通過させる際の気体接触面積が広く確保され、電解水滴下が可能で、目詰まりしにくい構造になっている。
【００１６】
また、気液接触部材５３の上面には、散水ボックス５１から滴下される電解水をエレメント部に効率よく分散させるため、分流シート（図示略）が配設されている。この分流シートは、液体の浸透性を有する繊維材料からなるシート（織物、不織布等）であり、気液接触部材５３の厚み方向断面に沿って一または複数設けられる。
ここで、気液接触部材５３の各部（フレーム、エレメント部、及び分流シートを含む）には、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）又はセラミックス系材料等の素材が使用され、本構成では、ＰＥＴ樹脂を用いるものとする。
また、気液接触部材５３の各部には親水性処理が施され、電解水に対する親和性が高められており、これによって、気液接触部材５３の電解水の保水性（湿潤性）が保たれ、後述する活性酸素種（活性酸素物質）と室内空気との接触が長時間持続される。さらに、気液接触部材５３には防かび作用を持つ電解水が滴下されるため、気液接触部材５３に防かび対策（防かび剤の塗布等）を施さなくても、かびの繁殖等を避けることができる。
【００１７】
次に、空気除菌装置１における空気の流れを説明する。
上述のように、筐体１１の下側の室２３には送風ファン３１が設けられている。この送風ファンの送風口３１Ａは、図４に示すように、筐体１１の背面側部分において上向きに設けられ、支持板２１には、送風口３１Ａに重なる位置において開口が設けられている。この支持板２１の開口は、上側の室２２の背面側において上下に延びる風路としての空間１Ａに連通する。このため、送風ファン３１の送風口３１Ａから吹き出された空気は、図４中に矢印で示すように空間１Ａを通り、気液接触部材５３の背面に吹き付けられる。
本構成では、空間１Ａは、筐体１１の背面側に配置される第１導風部材８１と、この第１導風部材８１に対向配置され、支持板２１から水受皿４２まで延在する導風板８４とを備えて形成されている。また、この空間１Ａの下方、すなわち支持板２１の開口の縁部には、図５に示すように、この開口（送風ファン３１の送風口３１Ａ）から吹き出された空気を空間１Ａの幅方向（図５中Ｘ方向）に広げる一対の風向板８５、８５が配置されている。
第１導風部材８１は、図６に示すように、背面部８１Ａと、この背面部８１Ａの両端部からそれぞれ前方に延出した側面部８１Ｂ、８１Ｃと、上記背面部８１Ａの上端部から前方に延出した上面部８１Ｄとを備える。この上面部８１Ｄは、上記側面部８１Ｂ、８１Ｃの上端部とそれぞれ連結されており、上記第１導風部材８１は前面部と下面部とを開放して略箱状に形成されている。本構成では、第１導風部材８１は、例えばスチロール樹脂などの樹脂材料で形成されている。
【００１８】
この第１導風部材８１が形成する空間１Ａを介して、送風ファン３１から吹き出された空気を気液接触部材５３に導く場合、この気液接触部材５３の全面に均一にこの空気を吹き付けることが望ましい。しかしながら、気液接触部材５３においては、送風ファン３１から遠い位置（本構成では気液接触部材５３の上部）の方が、近い位置（気液接触部材５３の下部）に比べて送風ファン３１からの空気が通過しやすいといった傾向があるため、この気液接触部材５３の高さ方向における空気分布にむらが生じ、気液接触部材５３の除菌能力を十分に発揮できないといった問題がある。本構成では、上記問題を解決するために、上記空間１Ａの上方には、図４に示すように、気液接触部材５３の上部における通風量を抑制するための分流部材（抑制部材）８２が配置されている。この分流部材８２は、空間１Ａの上方における通風抵抗の増加することにより、気液接触部材５３の上部における通風量を抑制するものである。
【００１９】
分流部材８２は、図５に示すように、第１導風部材８１に取り付けられる支持部材９３、９４と、これら支持部材９３、９４間に掛け渡される２枚の第１分流板９１、第２分流板９２とを備えて構成されている。これら第１分流板９１及び第２分流板９２は、支持部材９３、９４に、例えば、ねじ止めや溶接によって連結されている。これら支持部材９３、９４の上端部９３Ａ、９４Ａは、第１導風部材８１の背面部８１Ａの上方の両角部に形成された止着部８１Ａ１、８１Ａ２にそれぞれねじ止めされている。また、支持部材９３、９４の下端部９３Ｂ、９４Ｂは、第１導風部材８１の側面部８１Ｂ、８１Ｃの前面側に形成された止着部８１Ｂ１、８１Ｃ１にそれぞれねじ止めされている。これら各止着部８１Ａ１、８１Ａ２、８１Ｂ１及び８１Ｃ１は、スチロール樹脂の表面に、ねじ孔を有する板金を埋め込んで形成されている。
この構成では、２枚の分流板９１、９２を有する分流部材８２は、支持部材９３、９４を用いて一体的に形成され、この分流部材８２は第１導風部材８１の前面側からねじ止めされているため、この分流部材８２の取り付けを容易に行うことができる。
【００２０】
また、これら第１分流板９１及び第２分流板９２は、図７に示すように、高さ方向の位置を違えるとともに、それぞれ気液接触部材５３に向けて下方に傾斜して配置されている。この図７では、説明の便宜上、支持部材９３、９４を省略して記載している。第１分流板９１は、気液接触部材５３の上端部と略同一の高さに配置され、第２分流板９２は、第１分流板９１よりも下方で、上記気液接触部材５３の上から略１／４の高さに配置されている。これにより、第１分流板９１と第１導風部材８１の上面部８１Ｄとの間、及び、第１分流板９１と第２分流板９２との間には、気液接触部材５３に導かれる導風路９５、９６がそれぞれ形成される。
また、第１分流板９１及び第２分流板９２は、第１導風部材８１の背面部８１Ａから所定の角度αを呈して配置されている。この角度αを大きくする（角度αを９０度に近づける）と、通風抵抗を大きくすることができる反面、これら分流板９１、９２での風切音が大きくなるといった問題が生じる。このため、本実施形態では、実験等に基づいて、この角度αは約６０度に設定されている。
このように、本実施形態では、分流部材８２は、気液接触部材５３の上端部に対向する位置に配置された第１分流板９１と、この第１分流板９１よりも下方に配置された第２分流板９２とを備え、これら第１分流板９１及び第２分流板９２は、それぞれ気液接触部材５３に向けて下方に傾斜して配置されている。このため、これら第１分流板９１及び第２分流板９２が協働することにより、送風ファン３１から吹き出された空気は、図７中の矢印で示すように分流されて各導風路９５、９６を流れるため、気液接触部材５３の上部における通風抵抗が増加する。これによれば、気液接触部材５３の上部の通風量が抑制されることにより、相対的にこの気液接触部材５３の下部の通風量を増加させることができる。
【００２１】
また、第２分流板９２は、その先端部９２Ａが気液接触部材５３に略接触するように、気液接触部材５３側に配置されている。また、第１分流板９１は、その先端部９１Ａが上面視で上記第２分流板９２の末端部９２Ｂと重なるように、上記空間１Ａの奥行方向（図７中Ｙ方向）の略中央に配置されている。このように、第１分流板９１と第２分流板とを、上面視で重ねて配置することにより、これら第１分流板９１と第２分流板との間を空気がまっすぐ上方に吹きぬけることが防止される。ここで、これら第１分流板９１と第２分流板９２との重なり部分の長さＬは、実験等に基づいて、第２分流板９２の幅の約３０パーセント程度に設定されている。
【００２２】
一方、気液接触部材５３を介して、上記空間１Ａと反対側（本実施形態では筐体１１の前面側）の空間１Ｂには、図７に示すように、この気液接触部材５３を通過した空気を吹出口１３に導く第２導風部材８３が配置されている。この第２導風部材８３は、上記第１導風部材と同様に、例えばスチロール樹脂などの樹脂材料で形成されており、図６及び図７に示すように、上面部と背面部とを開放して略箱状に形成されている。
この第２導風部材８３は、空間１Ｂ内の空気を吹出口１３に導く機能に加えて、気液接触部材５３から空気とともにこの空間１Ｂに吹き出された水（いわゆる飛び水）を受ける機能を有する。
具体的には、第２導風部材８３は、図７に示すように、この第２導風部材８３の内側の底面８３Ａが気液接触部材５３に向けて下り勾配に形成されており、この底面８３Ａの先端部８３Ａ１は水受皿４２の上方に延在する。また、この底面８３Ａは、気液接触部材５３に対向する第２導風部材８３の内側の面８３Ｂに滑らかに接続されている。このため、気液接触部材５３から空気とともに空間１Ｂに吹き出された水滴６１は、第２導風部材８３の内側の面８３Ｂに衝突した後、図７中に破線矢印で示すように、この内側の面８３Ｂ及び底面８３Ａを伝い流れて水受皿４２に戻される。従って、送風空気とともに気液接触部材５３から吹き出された水が外部に漏れ出ることはなく、例えば、第２導風部材の下方に位置する電装ボックス３９（図２）に影響を及ぼすことはない。
また、気液接触部材５３を通過した空気は、第２導風部材８３の内側の面８３Ｂに導かれて吹出口１３の下方に配設された吹出口フィルタ３６を通って排気される。この吹出口フィルタ３６は、吹出口１３から筐体１１内部への異物の進入を防止するためのフィルタである。吹出口フィルタ３６は、網や織物または不織布等（図示略）を備えており、これらの材料としては、合成樹脂、好ましくは気液接触部材５３を構成する材料が好ましい。また、吹出口フィルタ３６は、気液接触部材５３を通過した空気の通風抵抗を著しく増加させないよう、適度に目の粗いものであることが好ましい。
【００２３】
図８は、電解水の供給の様子を説明する図であり、図８（Ａ）は、空気除菌機構の構成を示す模式図であり、図８（Ｂ）は電解槽４６の構成を詳細に示す図である。
この図８を参照して、気液接触部材５３に対する電解水の供給について説明する。なお、本実施の形態では、給水タンク４１に水道水を入れて空気除菌装置１を動作させる場合について説明する。
【００２４】
水道水を入れた給水タンク４１が空気除菌装置１にセットされると、上述のように、給水タンク４１から水受皿４２に水道水が供給され、水受皿４２の水位が所定のレベルに達する。水受皿４２内の水は循環ポンプ４４によって汲み上げられて、その一部が電解槽４６に供給される。この電解槽４６には、図５Ｂに示すように、一方が正、他方が負となる対の電極４７、４８を備え、これら電極４７、４８間に電圧を印加することにより、電解槽４６に流入した水道水が電気分解されて活性酸素種を含む電解水が生成される。ここで、活性酸素種とは、通常の酸素よりも高い酸化活性を持つ酸素と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００２５】
電極４７、４８は、例えばベースがチタン（Ｔｉ）で皮膜層がイリジウム（Ｉｒ）、白金（Ｐｔ）から構成された電極板であり、この電極４７、４８に流れる電流値は、電流密度で数ｍＡ（ミリアンペア）／ｃｍ2（平方センチメートル）〜数十ｍＡ／ｃｍ2になるように設定され、所定の遊離残留塩素濃度（例えば１ｍｇ（ミリグラム）／ｌ（リットル））を発生させる。
【００２６】
詳述すると、上記電極４７、４８により水道水に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩化物イオン（Ｃｌ-：水道水に予め添加されているもの）が、
２Ｃｌ-→Ｃｌ2＋２ｅ-
のように反応し、塩素（Ｃｌ2）が発生する。さらにこの塩素は水と反応し、
Ｃｌ2＋Ｈ2Ｏ→ＨＣｌＯ＋ＨＣｌ
次亜塩素酸（ＨＣｌＯ）と塩化水素（ＨＣｌ）が発生する。
【００２７】
アノード電極で発生した次亜塩素酸は広義の活性酸素種に含まれるもので、強力な酸化作用や漂白作用を有する。次亜塩素酸が溶解した水溶液、すなわち空気除菌装置１により生成される電解水は、ウィルス等の不活化、殺菌、有機化合物の分解等、種々の空気清浄効果を発揮する。このように、次亜塩素酸を含む電解水が散水ボックス５１から気液接触部材５３に滴下されると、送風ファン３１により吹き出された空気が気液接触部材５３において次亜塩素酸と接触する。これにより、空気中に浮遊するウィルス等が不活化されるとともに、当該空気に含まれる臭気物質が次亜塩素酸と反応して分解され、或いはイオン化して溶解する。従って、空気の除菌及び脱臭がなされ、清浄化された空気が気液接触部材５３から排出される。
【００２８】
活性酸素種によるウィルス等の不活化の作用機序として、インフルエンザウィルスの例を挙げる。上述した活性酸素種は、インフルエンザの感染に必須とされるインフルエンザウィルスの表面蛋白（スパイク）を破壊、消失（除去）する作用を有する。この表面蛋白が破壊された場合、インフルエンザウィルスと、インフルエンザウィルスが感染するのに必要な受容体（レセプタ）とが結合しなくなり、感染が阻止される。このため、空気中に浮遊するインフルエンザウィルスは、気液接触部材５３において活性酸素種を含む電解水に接触することにより、いわば感染力を失うこととなり、感染が阻止される。
【００２９】
従って、この空気除菌装置１が、例えば幼稚園や小・中・高等学校、介護保険施設、病院等のいわゆる大空間に設置された場合であっても、電解水により清浄化（除菌、脱臭等）された空気を大空間内で広く行き渡らせることが可能になり、大空間での空気除菌及び脱臭を効率よく行うことができる。
【００３０】
また、散水ボックス５１から気液接触部材５３に滴下された電解水は気液接触部材５３を伝って下方に移動し、水受皿４２に落ちる。水受皿４２に落ちた電解水は再び循環ポンプ４４によって汲み上げられ、電解槽４６を経て気液接触部材５３に供給される。このように、本実施形態における構成では水が循環式となっており、少量の水を有効に利用することで、長時間にわたって効率よく空気の除菌を行える。また、蒸発等により電解水循環部２を循環する水量が減った場合には、給水タンク４１内の水が水受皿４２に適量供給される。
【００３１】
以上説明したように、本実施形態によれば、筐体１１内に立設された気液接触部材５３と、この気液接触部材５３に供給される電解水を生成する電解水生成ユニット４５と、気液接触部材５３の下方に配置され、当該気液接触部材５３に空気を送風する送風ファン３１とを備え、筐体１１内に送風ファン３１から上方に向けて吹き出された空気を気液接触部材５３に導く風路としての空間１Ａを形成し、この空間１Ａには、気液接触部材５３の上部における通風量を抑制する分流部材８２を配置したため、この分流部材８２によって、気液接触部材５３の上部における通風量を抑制することにより、この気液接触部材５３の下部の通風量が相対的に増加するため、結果として気液接触部材５３における通風量のむらを抑えることができる。従って、気液接触部材５３に略均一に空気を吹き付けることができるため、この気液接触部材５３の除菌の能力を十分に発揮することができる。
【００３２】
また、本実施形態によれば、分流部材８２は、空間１Ａにおける気液接触部材５３の上部に対向する位置に配置されているため、気液接触部材５３の上部における通風量を抑制することにより、この気液接触部材５３の下部の通風量が相対的に増加するため、結果として気液接触部材５３における通風量のむらを抑えることができる。従って、気液接触部材５３に略均一に空気を吹き付けることができるため、この気液接触部材５３の除菌の能力を十分に発揮することができる。
【００３３】
また、本実施形態によれば、分流部材８２は、気液接触部材５３の上端部に対向する位置に配置された第１分流板９１と、この第１分流板９１よりも下方に配置された第２分流板９２とを備え、これら第１分流板９１及び第２分流板９２は、それぞれ気液接触部材５３に向けて下方に傾斜して配置されている。このため、これら第１分流板９１及び第２分流板９２が協働することにより、送風ファン３１から吹き出された空気は分流されて各導風路９５、９６を流れるため、気液接触部材５３の上部における通風抵抗が増加する。これによれば、気液接触部材５３の上部の通風量が抑制されることにより、相対的にこの気液接触部材５３の下部の通風量を増加させることができる。さらに、本実施形態によれば、第１分流板９１と第２分流板９２とを、上面視で重ねて配置することにより、これら第１分流板９１と第２分流板９２との間を空気がまっすぐ上方に吹きぬけることが防止される。
【００３４】
本実施の形態に係る空気除菌装置１は、本発明の一態様であり、本発明の趣旨を逸脱しない範囲において適宜変更可能なのは勿論である。
例えば、活性酸素種としてオゾン（Ｏ3）や過酸化水素（Ｈ2Ｏ2）を発生させる構成としても良い。この場合、電極として白金タンタル電極を用いると、イオン種が希薄な水であても、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応により生成したＯ2-と溶液中のＨ+とが結合して、過酸化水素（Ｈ2Ｏ2）が生成される。
【００３５】
また、本実施形態では、給水タンク４１により水道水を供給する例について説明している。水道水には殺菌を目的として塩素化合物が添加されているため、塩化物イオンが含まれており、この塩化物イオンが反応して次亜塩素酸及び塩酸が生成される。これは水道水を用いた場合に限定されるものではなく、電解槽４６に供給された水が、ハロゲン化合物の添加または混入によりハロゲン化物イオンを含む水となっていれば、同様の反応によりハロゲンを含む活性酸素種が生成される。
また、空気除菌装置１において、イオン種が希薄な水（純水、精製水、井戸水、一部の水道水等を含む）を用いた場合も同様の反応を起こさせることが可能である。すなわち、イオン種が希薄な水にハロゲン化合物（食塩等）を添加すれば、同様の反応が起こり、活性酸素種を得ることができる。また、本実施形態では、出し入れ自在な給水タンク４１による給水方式としたが、この給水タンク４１の代わりに、例えば水道管を接続して、市水を直接導く水配管給水方式としてもよいことは云うまでもない。
【図面の簡単な説明】
【００３６】
【図１】本実施の形態に係る空気除菌装置の外観を示す斜視図である。
【図２】空気除菌装置の内部構成を示す斜視図である。
【図３】気液接触部材と電解水生成ユニットとを示す斜視図である。
【図４】空気除菌装置の内部構成を示す右側断面視図である。
【図５】送風ファンから送風された空気が流れる空間を示す正面側断面図である。
【図６】気液接触部材の前後に形成された空間を構成する部材の分解斜視図である。
【図７】図４の部分拡大図である。
【図８】電解水の供給の様子を説明する図であり、（Ａ）は空気除菌機構の構成を示す模式図であり、（Ｂ）は電解槽の構成を詳細に示す図である。
【符号の説明】
【００３７】
１  空気除菌装置
１Ａ  空間（風路）
１１  筐体
３１  送風ファン
４４  循環ポンプ
４５  電解水生成ユニット
４６  電解槽
５３  気液接触部材
８１  第１導風部材
８２  分流部材（抑制部材）
８３  第２導風部材
９１  第１分流板
９２  第２分流板
９３  支持部材
９４  支持部材
【図１】
2008109983.tif 000003
【図２】
2008109983.tif 000004
【図３】
2008109983.tif 000005
【図４】
2008109983.tif 000006
【図５】
2008109983.tif 000007
【図６】
2008109983.tif 000008
【図７】
2008109983.tif 000009
【図８】
2008109983.tif 000010